(57)【要約】      （修正有）【課題】現用伝送路の光ファイバを正確かつ迅速に装着できる切替装置を提供する。【解決手段】現用光ファイバに曲げを付与するための曲げ部１２及び曲げガイド２２と、現用光ファイバを挟持するクランプ台８２〜８４及びクランプガイド５０とを備える。クランプガイドは、スプリング５７によって付勢されることによって、クランプ台に当接している。クランプガイドの上端からクランプ台とクランプガイドとの間に現用光ファイバを割り込ませると、クランプガイドが前記クランプ台から現用光ファイバの太さ分だけ開くとともに、曲げ部と曲げガイドとの間においてスプリングの付勢力によって現用光ファイバがクランプ台とクランプガイドとの間に挟持される。【選択図】図３
2017111366.tif 000002
【特許請求の範囲】
【請求項１】
光伝送路における現用光ファイバに曲げを付与することで当該曲げ部分と迂回用光ファイバとの間で光信号を入出力させる切替装置であって、
前記現用光ファイバに曲げを付与するための曲げ部及び曲げガイドと、
前記現用光ファイバを挟持するクランプ台及びクランプガイドと
を備え、
前記クランプガイドは、スプリングによって付勢されることによって、前記クランプ台に当接しており、
前記クランプガイドの上端から前記クランプ台と前記クランプガイドとの間に前記現用光ファイバを割り込ませると、前記クランプガイドが前記クランプ台から前記現用光ファイバの太さ分だけ開くとともに、前記曲げ部と前記曲げガイドとの間において前記スプリングの付勢力によって前記現用光ファイバが前記クランプ台と前記クランプガイドとの間に挟持される
ことを特徴とする切替装置。
【請求項２】
請求項１に記載の切替装置において、
前記クランプガイドの裏面には少なくとも２つのリブが設けられており、
前記現用光ファイバは、前記クランプ台と前記リブとの間に挟持されており、
前記曲げ部は、前記２つのリブによって挟持された２点間において前記現用光ファイバに曲げを付与する
ことを特徴とする切替装置。
【請求項３】
請求項１又は２に記載の切替装置において、
操作者が押圧する押圧部材と、
前記押圧部材が押圧されるのに連動して前記クランプガイドを開状態にするクランプガイド解除機構と
を備え、
前記曲げ部と前記曲げガイドとの間で前記現用光ファイバに曲げが付与された状態で前記押圧部材が所定位置まで押圧されると、前記曲げ部が前記曲げガイドから離間して前記現用光ファイバが前記曲げ部から解放されるとともに、
前記所定位置よりも前記押圧部材が押圧されると、前記クランプガイド解除機構によって前記クランプガイドが開状態になり、前記現用光ファイバが前記クランプ台と前記クランプガイドとの間で挟持された状態から解放される
ことを特徴とする切替装置。
【請求項４】
請求項３に記載の切替装置において、
前記クランプガイド解除機構は、前記マグネット支持部と当接する第１当接部と、前記クランプガイドと当接する第２当接部とを有しており、
前記押圧部材が前記所定位置よりも押圧されると、前記マグネット支持部が前記第１当接部を押圧することによって前記クランプガイド解除機構が回動し、前記第２当接部が前記クランプガイドを開状態にする方向に付勢する
ことを特徴とする切替装置。
【発明の詳細な説明】
【技術分野】
【０００１】
本発明は切替装置に関する。
【背景技術】
【０００２】
光ファイバケーブルを用いた光ファイバ通信網が広く普及し、その通信網を構成する光ファイバ伝送路の末端は利用者宅に引き込まれている１本の光ファイバである。現在の光通信網では、周知のごとく基地局から利用者宅までは、まず多数の光ファイバを束ねた光ファイバケーブルからなる光伝送路が利用者宅の至近の電柱に設置されている端子函（クロージャー）まで敷設され、そのクロージャー内で１本ずつに分岐された光ファイバが各利用者宅に配線されている。
【０００３】
ところで基地局など利用者宅の至近にあるクロージャーよりも上流側にある光ファイバ伝送路の途上でメンテナンスや工事を実施するような場合、その光ファイバ伝送路中の利用者宅に引き込まれている１本の光ファイバ（以下、現用光ファイバ）が辿る経路の途上で他の光ファイバ（以下、迂回用光ファイバ）の経路に切り替え、利用者が支障なく光通信を行えるようにする必要がある。すなわちその切替作業を極めて短い時間で行う「短瞬断切替」が必要である。そしてその短瞬断切替を行うための装置は「光ファイバ短瞬断切替装置」などと呼ばれている。なお光ファイバ短瞬断切替装置の動作原理などについては、例えば以下の特許文献１などに記載されている。当該特許文献１には、遮断したい部分において光伝送路である光ファイバ（ここで言う現用光ファイバ）に対して所定量以上の「曲げ」を強制的に付与し、光ファイバ（現用光ファイバ）の曲げ部から漏洩した光を迂回用の伝送路（ここで言う迂回用光ファイバ）の開口端に導入させ、若しくは光ファイバ（現用光ファイバ）の曲げ部へ迂回用の伝送路の開口端から光を導入させることによって、短瞬断切替動作を行う装置が開示されている。
【先行技術文献】
【特許文献】
【０００４】
【特許文献１】特開２０１４−０８１４９１号公報
【発明の概要】
【発明が解決しようとする課題】
【０００５】
光ファイバ短瞬断切替装置は、現用光ファイバに曲げ付与し、その曲げた位置から漏洩した光を迂回用光ファイバに導くように構成されている。例えば特許文献１に記載の装置では、現用光ファイバを円柱状の曲げ部と、この曲げ部の外径に合った形状の凹部を有する光学ブロックで挟み込むことで現用光ファイバを屈曲させている。なお光ファイバ短瞬断切替装置では屈曲された現用光ファイバと迂回用光ファイバの開口端との間で光信号を入出射させる必要がある。すなわち現用光ファイバと迂回用光ファイバを正確に位置合わせした状態で維持する必要がある。迂回用光ファイバについては事前に光ファイバ短瞬断切替装置内に固定されていることから位置ずれを考慮する必要はないが、敷設状態にある現用光ファイバについては、作業者が光ファイバ短瞬断切替装置内に案内し、装置内の所定の位置に装着することになる。そのため実際の光ファイバ短瞬断切替装置では現用光ファイバが光ファイバ短瞬断切替装置内での装着位置からずれないように、屈曲状態にある現用光ファイバを押さえ込むクランプガイドを備えている。ここで光ファイバ短瞬断切替装置内における現用光ファイバの延長方向と屈曲方向をそれぞれ前後方向と上下方向とするとともに、前後方向と上下方向とに直交する方向を左右方向とすると、クランプガイドは左右方向に開閉可能に構成されており、現用光ファイバを光ファイバ短瞬断切替装置に装着する際にはクランプガイドを開いた状態にする。そして所定の位置に装着したのを確認したならばクランプガイドを閉じて現用光ファイバを固定する。このように現用光ファイバを光ファイバ短瞬断切替装置に装着する際にはクランプガイドを開閉する煩雑な作業が必要となる。
【０００６】
さらに一つのクロージャー内にある複数本の現用光ファイバに対して短瞬断切替作業を並行して行う場合もある。この場合、クロージャー内には複数台の光ファイバ短瞬断切替装置が左右方向に並列に配置されることになり、作業者は複数本の現用光ファイバのそれぞれを各光ファイバ短瞬断切替装置に個別に装着することになる。しかし狭いクロージャー内では複数台の短瞬断切替装置同士を広い間隔で並列配置させることができない。その一方で上述のクランプガイドが左右方向に開閉するため、隣接する光ファイバ短瞬断切替装置同士はその開閉に要する距離だけ離間させる必要もある。光ファイバ短瞬断切替装置の設置場所によっては、クランプガイドを開く方向に障害物がある場合もある。いずれにしても隣光ファイバ短瞬断切替装置がクランプガイドを十分に開けない状態で設定されていれば、現用光ファイバを正確な位置に装着することが困難となる。現用光ファイバを光ファイバ短瞬断切替装置内に装着する作業自体も難しく作業者に高い技量が求められる。
【０００７】
そこで本発明は、クランプガイドを大きく開閉させなくても現用伝送路の光ファイバを正確かつ迅速に装着できる切替装置を提供することにある。
【課題を解決するための手段】
【０００８】
上記目的を達成するための主たる発明は、光伝送路における現用光ファイバに曲げを付与することで当該曲げ部分と迂回用光ファイバとの間で光信号を入出力させる切替装置であって、前記現用光ファイバに曲げを付与するための曲げ部及び曲げガイドと、前記現用光ファイバを挟持するクランプ台及びクランプガイドとを備え、前記クランプガイドは、スプリングによって付勢されることによって、前記クランプ台に当接しており、前記クランプガイドの上端から前記クランプ台と前記クランプガイドとの間に前記現用光ファイバを割り込ませると、前記クランプガイドが前記クランプ台から前記現用光ファイバの太さ分だけ開くとともに、前記曲げ部と前記曲げガイドとの間において前記スプリングの付勢力によって前記現用光ファイバが前記クランプ台と前記クランプガイドとの間に挟持されることを特徴とする切替装置である。
【０００９】
本発明の他の特徴については、後述する明細書及び図面の記載により明らかにする。
【発明の効果】
【００１０】
本発明に係る切替装置によれば、切替対象となる現用の光ファイバを正確かつ迅速に装着することができる。なおその他の効果については以下の記載で明らかにする。
【図面の簡単な説明】
【００１１】
【図１】本発明の実施例に係る切替装置（光ファイバ短瞬断切替装置１）における短瞬断切替動作を説明するための図である。
【図２】光ファイバ短瞬断切替装置１の外観図である。
【図３】光ファイバ短瞬断切替装置１の内部構造を示す図である。
【図４】光ファイバ短瞬断切替装置１に現用光ファイバ２００を装着する際のクランプガイド５０の動作を前方から見たときの図である。
【図５】光ファイバ短瞬断切替装置１に現用光ファイバ２００が装着された状態を上方から見たときの図である。
【図６】光ファイバ短瞬断切替装置１に装着された現用光ファイバ２００を屈曲する際の操作手順を示す図である。
【図７】光ファイバ短瞬断切替装置１に装着された屈曲状態にある現用光ファイバ２００を直線状態に復帰させる際の操作手順を示す図である。
【図８】光ファイバ短瞬断装置１におけるクランプガイド解除機構の構成を説明するための図である。
【図９】クランプガイド解除機構の動作を説明するための図である。
【発明を実施するための形態】
【００１２】
後述する明細書及び図面の記載から、少なくとも以下の事項が明らかとなる。
【００１３】
光伝送路における現用光ファイバに曲げを付与することで当該曲げ部分と迂回用光ファイバとの間で光信号を入出力させる切替装置であって、
前記現用光ファイバに曲げを付与するための曲げ部及び曲げガイドと、前記現用光ファイバを挟持するクランプ台及びクランプガイドとを備え、前記クランプガイドは、スプリングによって付勢されることによって、前記クランプ台に当接しており、前記クランプガイドの上端から前記クランプ台と前記クランプガイドとの間に前記現用光ファイバを割り込ませると、前記クランプガイドが前記クランプ台から前記現用光ファイバの太さ分だけ開くとともに、前記曲げ部と前記曲げガイドとの間において前記スプリングの付勢力によって前記現用光ファイバが前記クランプ台と前記クランプガイドとの間に挟持されることを特徴とする切替装置が明らかとなる。上記切替装置によれば、切替作業に要するスペースが限られていても、現用光ファイバを正確かつ迅速に所定の位置に容易に装着することができる。
【００１４】
前記クランプガイドの裏面には少なくとも２つのリブが設けられており、前記現用光ファイバは、前記クランプ台と前記リブとの間に挟持されており、前記曲げ部は、前記２つのリブによって挟持された２点間において前記現用光ファイバに曲げを付与することが望ましい。これにより、現用光ファイバが曲げ部から外れにくくなる。
【００１５】
操作者が押圧する押圧部材と、前記押圧部材が押圧されるのに連動して前記クランプガイドを開状態にするクランプガイド解除機構とを備え、前記曲げ部と前記曲げガイドとの間で前記現用光ファイバに曲げが付与された状態で前記押圧部材が所定位置まで押圧されると、前記曲げ部が前記曲げガイドから離間して前記現用光ファイバが前記曲げ部から解放されるとともに、前記所定位置よりも前記押圧部材が押圧されると、前記クランプガイド解除機構によって前記クランプガイドが開状態になり、前記現用光ファイバが前記クランプ台と前記クランプガイドとの間で挟持された状態から解放されることが望ましい。これにより、曲げ部が曲げガイドから離間する前に現用光ファイバが曲げ部から脱落することを抑制できる。
【００１６】
前記クランプガイド解除機構は、前記マグネット支持部と当接する第１当接部と、前記クランプガイドと当接する第２当接部とを有しており、前記押圧部材が前記所定位置よりも押圧されると、前記マグネット支持部が前記第１当接部を押圧することによって前記クランプガイド解除機構が回動し、前記第２当接部が前記クランプガイドを開状態にする方向に付勢することが望ましい。これにより、クランプガイドを閉方向に付勢するスプリングの付勢力に抗してクランプガイドを開くことができる。
【００１７】
＝＝＝光ファイバ短瞬断切替装置の構成と構造＝＝＝
本発明に係る切替装置の実施例として光ファイバ短瞬断切替装置（以下、短瞬断切替装置）を挙げ、添付図面を参照しつつ当該短瞬断切替装置について説明する。なお以下の説明に用いた図面において、同一または類似の部分に同一の符号を付して重複する説明を省略することがある。ある図面において符号を付した部分について、不要であれば他の図面ではその部分に符号を付さない場合もある。
【００１８】
＜短瞬断切替の原理＞
図１は本発明の実施例に係る短瞬断切替装置１による現用光ファイバ２００の曲げ動作を示す概略図である。図１の（Ａ）と（Ｂ）はそれぞれ現用光ファイバ２００を曲げる前と曲げた後の状態を示している。ここで短瞬断切替装置１から下流側に利用者宅側に引き込まれる１本の光ファイバが敷設されていることとする。また図中に示したように短瞬断切替装置１内において上下流方向に延長する現用光ファイバ２００について、下流側を後方、上流側を前方として前後方向を規定することとし、この現用光ファイバ２００を下方向に屈曲させることとして上下方向を規定することとする。また図１における紙面表裏方向を左右方向とするとともに、紙面手前側を右方とする。すなわち図１では前後上下方向を含む面を右方から見た図が示されている。なお図１および以下に示す各図においても上記の前後左右上下の各方向、上下流の関係を採用することとする。
【００１９】
短瞬断切替装置１は、現用光ファイバ２００の一部を下方に押圧して現用光ファイバ２００を屈曲させる機構（以下、曲げ機構１０）と、曲げ機構１０によって下方に押圧された現用光ファイバ２００が所定の屈曲形状になるように案内する機構（以下、曲げガイド機構２０）とを有している。本実施例では、曲げ機構１０は、左端を基部として右方に向かって突出しつつ、その先端側が円柱状に形成されている迂回用曲げ部１１と、この迂回用曲げ部１１の上流側に当該迂回用曲げ部１１と同様に先端側が円柱状に突出する損失印加用曲げ部１２と、上下方向に延長しつつ上端側に迂回用曲げ部と損失印加用曲げ部が前後方向に並んで取り付けられる曲げ機構支持部１３とを含んで構成されている。曲げガイド機構２０は、底面が迂回用曲げ部１１の円柱部分の側面円周形状に係合する円弧状に形成された凹部２３を有する迂回用曲げガイド部２１と、損失印加用曲げ部１２の円柱部分の側面円周形状に係合する円弧状の底面を有する凹部２４を有する損失印加用曲げガイド部２２とを含んで構成されている。そして曲げガイド機構２０は左右方向を厚さ方向とする厚板状で、この曲げガイド機構２０に対して曲げ機構１０が上方から下方に移動するように構成されている。なお迂回用曲げガイド部２１は透明な樹脂によって形成されており、その上端前方から円弧状の底面に連続する曲線の接線２５上には迂回用光ファイバ２１０の下流側の末端（以下、開口端２１１）が開口している。迂回用光ファイバ２１０は短瞬断切替装置１内にて上記接線２５の延長線に沿いつつ、途上で緩やかに後方に向かって屈曲して短瞬断切替装置１の外部に導出される。
【００２０】
本実施例に係る短瞬断切替装置１による現用光ファイバ２００の曲げ動作としては、まず図１（Ａ）に示したように迂回用曲げガイド部２１および損失印加用曲げガイド部２２の凹部（２３，２４）を跨ぐように現用光ファイバ２００を架け渡しておく。迂回用曲げ部１１と損失印加用曲げ部１２（以下、一括して「曲げ部（１１，１２）」とも称する場合もある）は、図１（Ｂ）に示したように、曲げ機構支持部１３を下方に移動させるのに伴って前後方向に延長する現用光ファイバ２００の上縁に当接してこれを下方に押し下げる。それによって現用光ファイバ２００が迂回用曲げ部１１と迂回用曲げガイド部２１、および損失印加用曲げ部１２と損失印加用曲げガイド部２２との間に狭持された状態で屈曲する。このように現用光ファイバ２００が屈曲すると、現用光ファイバ２００中を下流側から伝搬してきた光が迂回用曲げ部１１と迂回用曲げガイド部２１とによって屈曲された部位２０１から漏洩し、その漏洩光が迂回用光ファイバ２１０の開口端２１１に入射する。また迂回用光ファイバ２１０中を上流から下流に向かって伝搬してきた光は当該迂回用光ファイバ２１０の開口端２１１から出射して現用光ファイバ２００の屈曲部位２０１から侵入して当該現用光ファイバ２００の下流側へと伝搬していく。それによって現用光ファイバ２００の下流側末端と迂回用光ファイバ２１０の上流側に接続された光伝送路との間に光通信経路が形成される。なお損失印加用曲げ部１２と損失印加用曲げガイド部２２は、現用光ファイバ２００を伝播する光の全てが下流側の迂回用曲げ部１１と迂回用曲げガイド部２１によって漏洩せずに、僅かに漏出して上流に向けて伝播した場合に、現用光ファイバ２００を再度屈曲させることでその漏出光を遮断して上流側に光を一切伝播させないようにしている。
【００２１】
＜外観＞
図２は本実施例に係る短瞬断切替装置１の外観を示す図である。この図では同型の４台の短瞬断切替装置１を左右方向に並列配置する場合を例に挙げている。この例では４台の短瞬断切替装置１は、下端面３１がクロージャー内に固定されている基台３００に取り付けられることで並列配置されるようになっている。ここで主に左右両端に配置されている短瞬断切替装置１に付した符号を用いて短瞬断切替装置１の外観について説明すると、短瞬断切替装置１は左右方向に扁平な箱状の外観形状を有し、短瞬断切替装置１の外装を構成する筐体３０の内部には上述した曲げ機構１０、曲げガイド機構（図１、符号２０）、および曲げ機構を上下方向に移動させるための機構が収容されている。また前端面３２の下端には、筐体３０の内部にて現用光ファイバ（図１、符号２００）から迂回用光ファイバ（図１、符号２１０）に入射させた漏洩光を集光して迂回用の伝送路へと導くための光ファイバプローブ２２０が接続されている。
【００２２】
筐体３０は概して左右に扁平な箱状であるが、下方側の前後幅が上方側の前後幅に対して広くなっている。そして前後両端面（３２，３３）には、前後に拡幅された扁平箱状の下部領域と上方の前後に縮幅された上部領域とを連続させる斜面（３４，３５）が形成されている。なお前端面３２と後端面３３とでは内部構造の形状に依拠してその斜面（３４，３５）の形成位置が上下方向でずれている。また筐体３０の上部領域の右側面３６側には矩形状の開口３７が形成されている。さらに上部領域の上端側と下端側とではその左右幅が異なっており、下端側の幅Ｗに対して上端側の幅ｗの方が小さく、開口３７の右縁辺は上方から下方に向かう途上で右方にＬ字状に屈曲したのち下方に屈曲して開口３７の下縁辺の前後両端に至る。筐体３０の左側面３８はその前後両縁端で前後両端面（３２，３３）に連続している。そして筐体３０の上端面３９は、筐体３０の本来の左右幅Ｗを有して曲げ機構１０の上方を覆い、その上端面３９の前後両端が下方に向かって徐々に前後方向に拡幅しつつ幅ｗに縮幅された前後両端面（３２，３３）の上端部分が滑らかな連続面４０を介して接続している。それによってこの連続面４０と上端面３９とによって筐体３０の上端側が庇状に形成されている。
【００２３】
上記筐体３０の右側面３６における上記開口３７の形成領域には矩形平板状のクランプガイド５０が配置されている。クランプガイド５０は、筐体３０の開口３７の前後幅を維持して当該開口３７の下縁から上記連続面４０の下端、すなわち前後両端面（３２，３３）上端位置までを覆い、上記の庇状の領域では開口３７がクランプガイド５０によって閉鎖されず、曲げ機構１０が上方の移動位置にあるときは、曲げ部（１１，１２）が開口３７の上部に露出する。またクランプガイド５０の上端５１は前後方向から見ると上方に凸となるように滑らかな曲面に形成されて、当該上端５１は曲げ部（１１，１２）の右端と離間している（図４も参照）。そしてクランプガイド５０の上端５１は上記曲面形状により、筐体３０内の内部構造とも離間し、それによって当該内部構造と上端５１との間には上方に開口しつつ前後方向に延長する溝状の間隙４１が形成されている。
【００２４】
また本実施例の短瞬断切替装置１は左右方向に並列位置されることを想定していることから、短瞬断切替作業に要する操作系を前後両端面（３２，３３）に設ける必要がある。本実施例では後端面３３において上方と下方を連続させる斜面３５部分に上方に延長するレバー６０が導出されており、レバー６０の上端にはノブ６１が取り付けられている。筐体３０の後端面３３において、レバー６０が導出されている斜面３５の下方に連続する領域には前後方向を軸とした円柱状の部材（以下、押圧部材７０）が後方に向けて突出している。そして短瞬断切替装置１は、筐体３０の後端面３３や右側面３６に記載された「ＣＬＡＮＭＰ」の文字に付された矢印の方向（右方向）にレバー６０を倒したり、「ＯＰＥＮ」の文字に付された矢印の方向（前方向）に押圧部材７０を押圧したりすることで筐体３０の内部に収容されている曲げ機構１０を上下動させることができるようになっている。
【００２５】
＜内部構造＞
図３は本実施例の短瞬断切替装置における筐体内部の構造１ｉを示す図である。図３（Ａ）はその内部構造１ｉを右上後方から見たときの斜視図であり、図３（Ｂ）は（Ａ）に示した内部構造１ｉからクランプガイド５０などの一部の部材を分解した状態を示す斜視図である。また図３（Ｃ）にクランプガイド５０の左面（以下、裏面）を示した。以下では図３の（Ａ）〜（Ｃ）を参照しつつ、本実施例の短瞬断切替装置の内部構造１ｉについて説明する。筐体の内部構造１ｉに含まれる各種可動機構は、基台８０や筐体の内面などに取り付けられている。曲げ機構１０は、上下方向に移動可能な曲げ機構支持部１３と、当該曲げ機構支持部１３の上端に取り付けられた曲げ部（１１，１２）を備えている。曲げ機構支持部１３はその下端に右方にブロック状に突出する領域１４を有し、この突出領域１４には上下方向に互いに異なる磁極を有する永久磁石（以下、曲げ機構側マグネット１５）が埋め込まれている。また基台８０の下端は下方に開放するように矩形状に切りかかれており、曲げ機構支持部１３は基台８０の左面８１に沿いつつ、下端の突出領域（以下、曲げ機構側マグネット支持部１４）が基台８０の下端に形成された切欠部を介して右方に露出している。そしてこの基台８０の切欠部の形成領域内で曲げ機構側マグネット支持部１４が上下方向に移動可能となっている。それによって曲げ機構１０全体が上下方向に移動できるようになっている。上述したように曲げ部（１１，１２）は、曲げ機構支持部１３の上端にて右方に突設して形成されて、右端側が円柱状となっている。またその円柱状の部分には側面を周回する溝１４が形成されている。そして曲げ部（１１，１２）の右端面は迂回用曲げガイド部２１と損失印加用曲げガイド部２２（以下、一括して「曲げガイド部（２１，２２）」と称する場合もある）の右端面２６よりもさらに右方に突出している。
【００２６】
曲げガイド機構２０は、基台８０における右面に取り付けられた板状の曲げガイド部（２１，２２）と、基台８０と一体的に形成されて右方に突出しつつ前後方向に並んで形成されている第１〜第３のクランプ台（８２〜８４）とから構成されている。第１〜第３のクランプ台（８２〜８４）は、それぞれが前後方向に離間し、前後方向で隣接するクランプ台間（８２−８３，８３−８４）に上下両端と右方が開放するスリット８６が形成されて、そのスリット８６内を曲げ部（１１，１２）が上下方向に移動する。また第１〜第３のクランプ台（８２〜８４）の右端面８５は曲げガイド部（２１，２２）の右端面２６よりも左方に後退しており、短瞬断切替装置内に装着される現用光ファイバは、この第１〜第３のクランプ台（８２〜８４）の右端面８５に当接することで左方への移動が規制される。
【００２７】
筐体内には曲げ機構側マグネット１５に他の永久磁石（９１，９２）からの磁力を作用させて曲げ機構１０を上下方向に移動させるためのマグネット動作機構も内蔵されている。マグネット動作機構には図２において筐体３０外に後方に向けて導出されていた円柱状の押圧部材７０やレバー６０が含まれており、押圧部材７０は後端側に周方向に沿う溝７１を備えるとともに、前方に延長して筐体内部にて前端がブロック状の部材９０に接続している。押圧部材７０の前端に接続されているブロック状の部材９０には上下方向を磁極方向とした二つの永久磁石（９１，９２）が前後方向に並んで埋め込まれている。二つの永久磁石（９１，９２）はそれぞれの一方の磁極がブロック状の部材（以下、マグネット支持部９０）の上端面９３に露出しており、この上端面９３に露出する二つの永久磁石（９１，９２）の磁極は互いに逆方向となっている。後方の磁石（以下、第１動作機構側マグネット９１）については上述した曲げ機構側マグネット１５の下面側の磁極と同極であり、双方のマグネット（１５，９１）が対面しているときは斥力によって曲げ機構１０は上方に押し上げられた状態を維持する。前方の磁石（以下、第２動作機構側マグネット９２）については曲げ機構側マグネット１５の下面側の磁極と異極となっており、双方のマグネット（１５，９２）が対面しているときは引力によって曲げ機構１０が下方に引き下げられた状態を維持する。すなわち押圧部材７０の前後方向への移動に伴って曲げ機構側マグネット１５に第１動作機構側マグネット９１と第２動作機構側マグネット９２のいずれかを対面させることで曲げ機構１０を上下方向に移動させて短瞬断切替装置内に装着されている現用光ファイバを屈曲させたり、その屈曲状態から直線状態に復帰させたりすることで短瞬断切替動作を実行する。
【００２８】
短瞬断切替動作に関わる機構について，より具体的に説明すると、マグネット支持部９０の後端には前後方向を軸としたコイルスプリング（以下、マグネット動作用スプリング９４）の後端が当接している。マグネット動作用スプリング９４の前端は筐体に固定されている。図２において筐体３０の後端面３３から上方に向けて導出されていたレバー６０は、筐体３０の後端面３３と平行な面を有して上下方向に延長する板状で、その上下中央近傍が前後方向に延長する軸（以下、レバー軸６２）を支点として上端側と下端側が左右反対方向に揺動する。なお軸受けは筐体の内面に形成されている。レバー軸６２から下方の右縁辺には押圧部材７０の溝７１に係合する切欠部６３が形成されている。さらにレバー６０の下端は、前方に屈曲しつつ左右方向に表裏両面を有する平板状に形成されており、この平板部分６４の左面に左右方向を軸としたコイルスプリング（以下、レバー用スプリング６５）の右端が当接し、当該レバー用スプリング６５がレバー６０の下端側を右方に付勢している。それによってレバー６０の切欠部６３を押圧部材７０の溝７１に係合させると、レバー６０はその状態を維持し、それに伴って押圧部材７０が前方に押し込まれた状態を維持する。このときマグネット動作用スプリング９４が圧縮状態となる。またこの状態では曲げ機構側マグネット１５と第１動作機構側マグネット９１とが同極同士で対面しており、曲げ機構１０は上方に移動した状態を維持する。
【００２９】
一方レバー６０のノブ６１を操作してレバー６０を右方に倒すと、当該レバー６０の切欠部６３と押圧部材７０の溝７１との係合状態が解除され、圧縮状態にあったマグネット動作用スプリング９４がマグネット支持部９０を後方に押し出す。それに伴って曲げ機構側マグネット１５と第２動作機構側マグネット９２とが異極同士で対面し、曲げ機構１０が下方に移動する。このとき現用光ファイバが装着されていれば、現用光ファイバは、曲げ部（１１，１２）と曲げガイド部（２１，２２）との間に狭持されて屈曲し、現用光ファイバと迂回用光ファイバとの間に光通信経路が形成される。
【００３０】
基台８０にはクランプガイド５０も取り付けられている。クランプガイド５０の前後両端面５２の上下中央よりやや下方には、当該端面５２の一部を共有しつつ左方に向けて舌片状に突出するとともに、前後に貫通する軸孔５３を備えた軸受部５４が形成されている。そして基台８０の前後両端面にはこの軸孔５３に挿通される軸（以下、クランプガイド軸８７）が前方および後方に突出するように形成されている。またクランプガイド５０の左面（以下、裏面５６）で軸孔５３よりも下方の領域５５には、左右方向を軸として基台８０の右端面に取り付けられたコイルスプリング（以下、クランプガイド用スプリング５７）の右端面が当接して、当該軸孔よりも下方の領域を右方に付勢している。すなわち外力が加わっていない定常状態にあるクランプガイド５０は、裏面５６において軸５３よりも上方の領域５８が左方に付勢されている。したがって短瞬断切替装置内に現用光ファイバが装着されていれば、その現用光ファイバはクランプガイド５０の裏面５６と第１〜第３のクランプ台（８２〜８４）の右端面８５との間に挟持されて所定の位置からの逸脱が抑制される。さらにクランプガイド５０は、図３（Ｃ）に示したように、その前後両端面５２が軸受部５４に連続する前後に薄い板状に形成されて、裏面５６には上端から下方に向けて三つの短いリブ５９も形成されている。前後方向から見たときのリブ５９の形状はクランプガイド５０の前後両端面５２の上端左側の形状と同様であり、上方から下方に向かって徐々に左方に向かって滑らかに拡幅した後下方に向けて延長している。またリブ５９における前後方向の形成位置は、曲げ部（１１，１２）における前後方向の形成領域と重複しないようになっている。そしてクランプガイド５０が定常状態にあるときは、このリブ５９と前後両端面５２の左縁端が、クランプガイド用スプリング５７の付勢力によって第１〜第３のクランプ台（８２〜８４）の右端面８５に当接している。なお本実施例ではクランプガイド５０の下端前方側に矩形状に下方に突出する領域（以下、クランプガイド突片部１０１）が形成されており、このクランプガイド突片部１０１は後述するクランプガイド解除機構の構成要素となっている。
【００３１】
＝＝＝短瞬断切替作業の手順と短瞬断切替装置の動作＝＝＝
次に本実施例に係る短瞬断切替装置を用いた段瞬断切替作業の手順を追いながら当該装置の動作を説明する。
【００３２】
＜現用光ファイバの装着＞
上述したように本実施例の短瞬断切替装置は、複数台を左右方向に狭い間隔で並列に配置されることを想定している。そのため右端に配置されている短瞬断切替装置以外では、現用光ファイバを左右方向から短瞬断切替装置内に装着することが難しい。そこで本実施例の短瞬断切替装置ではクランプガイドの形状や開閉構造、および筐体の主に上端面の形状に特徴を有して前後方向に延長する現用光ファイバを上方から短瞬断切替装置内に案内して自然に所定の位置に装着されるようになっている。
【００３３】
図４と図５に短瞬断切替装置１の上方部分を拡大した図を示した。図４は短瞬断切替装置１の上方部分を前方から見たときの図であり、図４の（Ａ）と（Ｂ）に、現用光ファイバ２００を短瞬断切替装置１に装着する前と装着した後を示した。また図５は短瞬断切替装置１の内部構造１ｉを上方から見たときの図であり、現用光ファイバ２００が装着されている状態を示している。以下、図４と図５を参照しながら現用光ファイバ２００の装着手順について説明する。
【００３４】
図４（Ａ）に示したように現用光ファイバ２００を装着する前の定常状態ではクランプガイド５０の前後両端面５２の左縁端およびリブ５９の左縁端が、第１〜第３のクランプ台（以下、「クランプ台（８２〜８４）」とも称する）の右端面８５に当接している。上述したようにクランプガイド５０の上端５１は滑らかな曲面で形成されて、現用光ファイバ２００を上方から下方に向けて短瞬断切替装置１内に導く際に現用光ファイバ２００を傷付けることがない。また筐体３０の上端面３９は右方に突出している曲げ部（１１，１２）を覆う庇状に形成されている。また上端面３９とその前後両端に下方に向かって延長する斜面４０とによって形成される庇状の領域の右縁端４２は、前後方向から見ると上端面  ３９の左右幅Ｗが下方に向かって滑らかに幅ｗに縮幅されるように連続している。それによって現用光ファイバ２００を前後方向に延長するように維持しながら上方から下方に向けて短瞬断切替装置１内に挿入する際にこれらの曲げ部（１１，１２）に現用光ファイバ２００が引っ掛かることがない。
【００３５】
現用光ファイバ２００を短瞬断切替装置１内の所定の位置に装着するために、現用光ファイバ２００をさらに下方に向けて移動させて、当該現用光ファイバ２００を、クランプガイド５０の上端５１と筐体３０の開口３７の上端部分を形成する上記の庇状領域の右縁端４２との間に形成される溝状の間隙４１から短瞬断切替装置内に挿入していくと、筐体３０の上端面３９から前後両端面（３２，３３）に連続する斜面４０の右縁端４２における滑らかな形状によって、現用光ファイバ２００が短瞬断切替装置１内に円滑に導かれる。溝状の間隙４２内に挿入された現用ファイバ２００は、クランプガイド５０の上端からクランプ台（８２〜８４）とクランプガイド５０との間に割り込み、クランプガイド５０の上端５１側が現用光ファイバ２００の太さ分だけ僅かに右方に開くことになる。このとき、クランプガイド５０の上端５１側が当該クランプガイド５０の下方領域５５の裏面５６に当接しているクランプガイド用スプリング５７によって左方に付勢されているため、クランプガイド５０の前後両端面５２やリブ５９とクランプ台（８２〜８４）との間に挟持される。また、クランプガイド５０がクランプガイド用スプリング５７によって左方に付勢されているため、現用光ファイバ２００は、クランプガイド５０とクランプ台（８２〜８４）との間に狭持された状態を維持しつつ、曲げガイド部（２１，２２）の上端位置まで挿入される。これにより、図４（Ｂ）および図５に示したように、現用光ファイバ２００は、曲げ部（１１，１２）と曲げガイド部（２１，２２）との間において、クランプガイド用スプリング５７の付勢力によってクランプガイド５０の裏面５６とクランプ台（８２〜８４）との間に狭持された状態になる。
【００３６】
なお短瞬断切替装置１内で装着されている現用光ファイバ２００が屈曲されずに直線状になっている状態であれば、クランプガイド５０とクランプ台（８２〜８４）との間に現用光ファイバ２００を狭持させた状態を維持しつつ、その現用光ファイバ２００を上方に移動させることができ、現用光ファイバ２００を容易に取り出すことができる。
このように本実施例の短瞬断切替装置１によれば、現用光ファイバ２００を装着する際にクランプガイド５０を左右方向に大きく開く必要がなく、現用光ファイバ２００をその延長方向を前後方向に一致させながら下方に移動させるだけで自然に所定の位置に装着させることができる。また装着済みの現用光ファイバ２００をその延長方向を前後方向に一致させながら上方に移動させるだけで、現用光ファイバ２００を各短瞬断切替装置１から取り出すことができる。とくに図２に示したように、複数台の短瞬断切替装置１を左右方向に並列配置した場合には、現用光ファイバ２００の装着と取り出し作業が従来よりも各段に容易になる。もちろん本実施例の短瞬断切替装置１では現用光ファイバ２００の装着や取出に際して高い技量を必要とない。
【００３７】
＜短瞬断切替作業＞
次に短瞬断切替装置内の所定位置に装着した現用光ファイバを屈曲させるための操作手順とその手順に伴う短瞬断切替装置の動作について説明する。図６は直線状態にある現用光ファイバを屈曲させる際の短瞬断切替装置内の動作状態を示している。図６（Ａ）〜（Ｃ）の順に現用光ファイバを屈曲させるための操作手順と各手順における短瞬断切替装置内の各種機構の状態とを示した。なおここでは、基台を省略した内部構造１ｉを示した。まず図６（Ａ）に示したように、まず用ファイバ２００が曲げガイド部（２１，２２）の上端に架け渡された状態になっている。またレバー６０は下端に形成された切欠部６３が押圧部材７０の溝７１に係合することで押圧部材７０がラッチされている。すなわち押圧部材７０およびその前端に接続されているマグネット支持部９０は、マグネット動作用スプリング９４による後方への移動が規制されている。またこの状態ではマグネット支持部９０に埋設されている第１動作機構側マグネット９１が曲げ機構側マグネット１５に対面して、双方のマグネット間（９２−１５）の斥力によって曲げ機構１０は上方に移動した状態で保持されている。
【００３８】
つぎに図６（Ｂ）に示したようにレバー６０を右方に倒してラッチを解除すると、マグネット支持部９０がマグネット動作用スプリング９４の復元力によって後方へ押し出される。そして図６（Ｃ）に示したようにマグネット支持部９０はラッチの解除にともなって瞬時に後方に移動し、第２動作機構側マグネット９２が曲げ機構側マグネット１５と対面する。それによって双方のマグネット間（９３−１５）に引力が作用し曲げ機構１０が下方に移動し、曲げ部（１１，１２）が現用光ファイバ２００を下方に押し下げる。このとき曲げ部（１１，１２）の右端側の円柱部分の側面に形成された溝１４内に現用光ファイバ２００の上面側が内接するため、現用光ファイバ２００は、極めて速い速度で下方に押し下げられても右方に逸脱することがない。そして現用光ファイバ２００が曲げ部（１１，１２）と曲げガイド部（２１，２２）との間に狭持され、現用光ファイバ２００と迂回用光ファイバ２１０との間に光伝送路が形成される。
【００３９】
つぎに現用光ファイバ２００と迂回用光ファイバとの間の光伝送路を遮断し、当初の現用光ファイバのみの光伝送路に復帰させる際には、図６（Ａ）〜（Ｃ）の順に示した動作と逆になるようにして屈曲状態にある現用光ファイバ２００を直線状態に復帰されればよい。図７に短瞬断切替装置における現用光ファイバ２００の復帰動作を示した。図７（Ａ）〜（Ｃ）の順に現用光ファイバ２００を復帰させるための操作手順と各手順における短瞬断切替装置内の各種機構の状態とを示した。図７（Ａ）に示したように、押圧部材７０のラッチが解除されて当該押圧部材７０が後方に突出して状態にあるときには、曲げ機構（１１，１２）が下方位置にあって現用光ファイバ２００が屈曲している。つぎに図７（Ｂ）に示したように、押圧部材７０を前方に向けて押圧してマグネット支持部９０を前方に移動させると、第１動作機構側マグネット９１と曲げ機構側マグネット１５とが対面して双方のマグネット（９２―１５）に斥力が生じる。またレバー６０は下端の平板部分６４がレバー用スプリングによる付勢力によってレバー軸６２より下方の切欠部６３を含む領域が右方に付勢されていることから、押圧部材７０が所定の位置まで押圧されるとレバー６０の切欠部６３が押圧部材７０の溝７１に係合し、押圧部材７０がラッチされる。そして図７（Ｃ）に示したように、第１動作機構側マグネット９１と曲げ機構側マグネット１５との間の斥力によって曲げ機構１０が上方に押し上げられ、曲げ部（１１，１２）と曲げガイド部（２１，２２）との係合が解除されて現用光ファイバ２００が当初の直線状態に復帰する。
【００４０】
このように本実施例の短瞬断切替装置によれば、レバー６０の操作に連動して押圧部材７０のラッチを解除したり、レバー６０の付勢力を利用して押し込まれた押圧部材７０を自動的にラッチさせたりするだけの簡単な操作のみで短瞬断切替動作が瞬間的かつ正確に実行される。もちろんこれらの操作には高い技量は必要ない。
【００４１】
＜現用光ファイバの取り出し＞
本実施例の短瞬断切替装置では、直線状態で装着されている現用光ファイバを上方に移動するだけで取り出すことができる。しかし本実施例の短瞬断切替装置には、この取り出し作業をさらに容易にするために、押圧部材を前方に押圧する操作に連動してクランプガイドの下端に形成されたクランプガイド突片部（図３、符号１０１）を左方に付勢することでクランプガイドを開状態に維持できる専用の機構を備えている。そしてこの機構が前出のクランプガイド解除機構である。図８はクランプガイド解除機構の構造を説明するための図であり、ここでは基台を省略した短瞬断切替装置の内部構造１ｉを右上前方から見たときの斜視図を示した。図８に示したように、内部構造１ｉの前端側には上下方向に延長する軸（以下、クランプガイド解除機構軸１０２）に軸支されて回動する板状の部材（以下、クランプガイド解除板１００）が取り付けられている。クランプガイド解除板１００は、クランプガイド解除機構軸１０２に対して左方の板状部分（以下、解除作用板１０３）が下方に延長し、この解除作用板１０３がマグネット支持部９０の前端に当接するように構成されている。クランプガイド解除機構軸１０２に対して右方の板状部分（以下、クランプガイド押圧板１０４）はマグネット支持部９０の上方に離間しつつ解除作用板１０３の板面と直交するように後方に向けて屈曲し、その左面がクランプガイド突片部１０１の右面に当接している。
【００４２】
図９にクランプガイド解除機構の主要部分を上方から見たときの図を示した。そして図９（Ａ）と（Ｂ）に現用光ファイバ２００を取り出す前と後におけるクランプガイド解除板１００の状態を示した。以下図８を参照しつつ図９（Ａ）、図９（Ｂ）の順に従ってクランプガイド解除機構の動作について説明する。
【００４３】
まず図９（Ａ）に示したように、押圧部材７０を押し込んで当該押圧部材７０がラッチされた時点ではクランプガイド５０は定常状態にあり、クランプガイド押圧板１０４はその前後方向に延長した状態に維持されている。押圧部材７０を前方に深く押し込むと、マグネット支持部９０の前端が解除作用板１０３を後方に押圧し、図９（Ｂ）に示したようにクランプガイド解除板１００が上方から見てクランプガイド解除機構軸１０２を中心にして時計回りに回動する。それに伴ってクランプ押圧板１０４がクランプガイド５０におけるクランプガイド突片部１０１を左方に向けて押圧し、クランプガイド５０の上方領域５８が右方に開く。
【００４４】
なお曲げ状態にある現用光ファイバは、自身を曲げるための規制力が瞬時に消失すると同時に直線状態に復帰するとともに、その復帰に伴う反動によって上方に付勢される。そのため押圧部材７０のラッチが外れている状態から押圧部材７０をラッチ位置Ｐ１で停止させずにクランプガイド解除板１００を回動させる位置Ｐ２まで一気に押し込めば、現用光ファイバが直線状態に復帰するのとほぼ同時にクランプガイド５０が開くため、現用光ファイバが上方への付勢力によって短瞬断切替装置の上方外方に飛び出し、現用光ファイバを自動的に取り出すことができる。
【００４５】
＜小括＞
上記の実施形態では、クランプガイド５０は、クランプガイド用スプリング５７（スプリング）によって付勢されることによって、クランプ台（８２〜８４）に当接している。そして、クランプガイド５０の上端からクランプ台（８２〜８４）とクランプガイド５０との間に現用光ファイバ２００を割り込ませると、クランプガイド５０がクランプ台（８２〜８４）から現用光ファイバ２００の太さ分だけ開くとともに、曲げ部１１と曲げガイド２３との間においてクランプガイド用スプリング５７の付勢力によって現用光ファイバ２００がクランプ台（８２〜８４）とクランプガイド５０との間に挟持されることになる。これにより、クランプガイド５０を大きく開閉させなくても現用光ファイバを正確かつ迅速に装着できる。
【００４６】
また、上記の実施形態では、クランプガイド５０の裏面には少なくとも２つのリブ５９が設けられており（図３（Ｃ）参照）、現用光ファイバは、クランプ台（８２、８３）とリブ５９との間に挟持されており、図５に示すように上方から見ると、曲げ部１１は、２つのリブ５９によって挟持された２点間に位置している。そして、本実施形態では、短瞬断切替の際に、曲げ部１１は、２つのリブ５９によって挟持された２点間において現用光ファイバ２００に曲げを付与している。これにより、現用光ファイバ２００の姿勢を安定させながら現用光ファイバ２００に曲げを付与することができ、現用光ファイバ２００が曲げ部１１から外れにくくなる。
【００４７】
また、上記の実施形態では、曲げ部１１と曲げガイド２１との間で現用光ファイバ２００に曲げが付与された状態で押圧部材７０が所定位置まで押圧されると（図７（Ｂ）参照）、曲げ部１１が曲げガイド２１から離間して現用光ファイバ２００が曲げ部１１から解放される（図７（Ｃ）参照）。また、この所定位置よりも押圧部材７０が更に押圧されると、クランプガイド解除板１００によってクランプガイド５０が開状態になり、現用光ファイバ２００がクランプ台（８２、８３）とクランプガイド５０との間で挟持された状態から解放される（図８参照）。これにより、押圧部材７０の操作だけで、曲げ部１１による曲げ状態の解放作業と、クランプガイド５０による挟持状態の解放作業とを行うことができる。なお、仮に現用光ファイバ２００に曲げが付与された状態でクランプガイド５０が開状態になってしまうと、現用光ファイバ２００が曲げ部１１から脱落するおそれが生じてしまうが、本実施形態では、曲げ部１１が曲げガイド２１から離間した後にクランプガイド５０が開状態になるため、曲げ部１１が曲げガイド２１から離間する前に現用光ファイバ２００が曲げ部１１から脱落することを抑制できる。
【００４８】
また、上記の実施形態では、クランプガイド解除板１００が、押圧部材７０と当接する解除作用板１０３（第１当接部）と、クランプガイド５０と当接するクランプガイド押圧板１０４（第２当接部）とを有している。そして、曲げ部１１が曲げガイド２１から離間する位置（所定位置）よりも押圧部材７０が更に押圧されると、押圧部材７０が解除作用板１０３を押圧することによってクランプガイド解除板１００が回動し、クランプガイド５０が開状態になる方向にクランプガイド押圧板１０４がクランプガイド５０を付勢する（図９参照）。これにより、クランプガイド５０を閉方向に付勢するクランプガイド用スプリング５７の付勢力に抗してクランプガイド５０を開くことができる。
【００４９】
＝＝＝その他の実施形態＝＝＝
上述の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。例えば、上記実施例に係る短瞬断切替装置の構成、あるいは各部位の形状や構造は適宜に変更可能である。また用途も短瞬断切替に限らない。例えば、迂回用光ファイバを光伝送路に接続せず、光信号の検出装置や測定装置に接続するなど，各種検査装置として利用することができる。いずれにしても、曲げが付与された光ファイバから漏洩した光を利用する用途であればよい。
【００５０】
損失印加用曲げ部とそれに対応する損失印加用曲げガイド部が無くてもよい。またクランプガイド用スプリングなど、上記実施例に係る短瞬断切替装置の各種機構に用いられていたスプリングはコイルスプリングであったが、ねじりばねや板ばねなど、所定の部材を所定の方向に付勢させることができれば、スプリングの種類はどのようなものであってもよい。さらに上記実施例では圧縮状態にあるコイルスプリングの復元力を用いて各部材を付勢していたが、伸張状態にあるコイルスプリングの復元力を用いて付勢する構成としてもよい。
【００５１】
上記実施例におけるクランプガイド解除機構は、押圧部材を深く押し込む動作によってクランプガイド解除板を上方から見て時計回りに回転させることで、右方に付勢されているクランプガイドの下方をクランプガイド押圧板が左方に押圧し、クランプガイドの上方を右方に開く構成としていたが、押圧部材を深く押し込む動作によってクランプガイド解除板を反時計回りに回転させてもよい。そしてこの場合には、例えば、クランプガイドの上方領域にクランプガイド押圧板が左方から当接する部位を形成しておけばよい。それによってクランプガイド解除板の回動に伴って左方に付勢されているクランプガイドの上方領域が右方に付勢させる。いずれにしても押圧部材を押圧することで所定のリンク機構を介してクランプガイドを開状態にある方向に付勢する機構であればよい。
【符号の説明】
【００５２】
１  短瞬断切替装置、１ｉ  短瞬断切替装置の内部構造、１０  曲げ機構、
１１  迂回用曲げ部、１２  損失印加用曲げ部、１３  曲げ機構支持部、
１５  曲げ機構側マグネット、２０  曲げガイド機構、２１  迂回用曲げガイド部、
２２  損失印加用曲げガイド部、３０  筐体、３２  筐体の前面、３３  筐体の後面、
３５  筐体後面の斜面、５０  クランプガイド、５１  クランプガイドの上端、
５２  クランプガイドの前後両端面、５３  クランプガイドの軸孔、
５４  クランプガイドの軸受け部、５７  クランプガイド用スプリング、６０  レバー、
６２  レバー軸、６３  レバーの切欠部、６４  レバー下端の平板部分、
６５  レバー用スプリング、７０  押圧部材、７１  押圧部材の溝、８０  基台、
８２  第１クランプ台、８３  第２クランプ台、８４  第３クランプ台、
８７  クランプガイド軸、９０  マグネット支持部、９１  第１動作機構側マグネット、９２  第２動作機構側マグネット、９４  マグネット動作用スプリング、
１００  クランプガイド解除板、１０１  クランプガイド突片部、
１０２  クランプガイド解除機構軸、１０３  解除作用板、
１０４  クランプガイド押圧板、２００  現用光ファイバ、２１０  迂回用光ファイバ、２２０  光ファイバプローブ
【図１】
2017111366.tif 000003
【図２】
2017111366.tif 000004
【図３】
2017111366.tif 000005
【図４】
2017111366.tif 000006
【図５】
2017111366.tif 000007
【図６】
2017111366.tif 000008
【図７】
2017111366.tif 000009
【図８】
2017111366.tif 000010
【図９】
2017111366.tif 000011